(57)【要約】      （修正有）【課題】波長５００〜５５０ｎｍにおいて高い輝度の光が得られ、試料観察時におけるバックグランドノイズが小さい蛍光顕微鏡用光源装置および蛍光顕微鏡を提供する。【解決手段】照明光用バンドパスフィルタを備えた蛍光顕微鏡用光源装置１０であって、励起光として青色光を放射するレーザダイオード１１と、励起光を、波長５００〜５５０ｎｍの波長域を含む照明用蛍光に変換する蛍光体１５と、蛍光体１５からの照明用蛍光を取り出す光学系１７と、励起光を蛍光体１５に集光する第１集光レンズ１２と、照明用蛍光が一端面に入射されて他端面から出射される導光体１９と、照明用蛍光を導光体１９の一端面に集光する第２集光レンズ１８とを備え、照明用蛍光の光路上に、照明用蛍光のうち、照明光用バンドパスフィルタにおける透過上限波長を含みかつ透過下限波長を含まない波長域の光を遮断または減衰する帯域除去フィルタ２０が設けられている。【選択図】図１
2018040914.tif 000002
【特許請求の範囲】
【請求項１】
照明光用バンドパスフィルタを備え、当該照明光用バンドパスフィルタを透過した波長５００〜５５０ｎｍの光によって試料が照明される蛍光顕微鏡に搭載される蛍光顕微鏡用光源装置であって、
励起光として青色光を放射するレーザダイオードと、
前記レーザダイオードから放射された励起光を、波長５００〜５５０ｎｍの波長域を含む照明用蛍光に変換する蛍光体と、
前記蛍光体から放射された照明用蛍光を取り出す光学系と、
前記励起光を前記蛍光体に集光する第１集光レンズと、
前記照明用蛍光が一端面に入射されて他端面から出射される導光体と、
前記照明用蛍光を前記導光体の一端面に集光する第２集光レンズとを備えてなり、
前記照明用蛍光の光路上に、当該照明用蛍光のうち、前記照明光用バンドパスフィルタにおける透過上限波長を含みかつ透過下限波長を含まない波長域の光を遮断または減衰する帯域除去フィルタが設けられていることを特徴とする蛍光顕微鏡用光源装置。
【請求項２】
前記蛍光体はＣｅ：ＬｕＡＧまたはＣｅ：ＹＡＧよりなることを特徴とする請求項１に記載の蛍光顕微鏡用光源装置。
【請求項３】
前記帯域除去フィルタは、前記蛍光体と前記導光体との間における前記照明用蛍光の光路上に配置されていることを特徴とする請求項１または請求項２に記載の蛍光顕微鏡用光源装置。
【請求項４】
照明光用バンドパスフィルタと、請求項１乃至請求項３のいずれかに記載の蛍光顕微鏡用光源装置とを備えてなり、
前記蛍光顕微鏡用光源装置からの照明用蛍光のうち、前記照明光用バンドパスフィルタを透過した光によって試料が照明されることを特徴とする蛍光顕微鏡。
【発明の詳細な説明】
【技術分野】
【０００１】
本発明は、蛍光顕微鏡用光源装置および蛍光顕微鏡に関する。
【背景技術】
【０００２】
蛍光顕微鏡に搭載される光源としては、従来、ショートアーク型の超高圧水銀ランプ、メタルハライドランプ、キセノンランプなどの放電ランプが用いられている。而して、近年、省エネルギー化、装置の小型化、光源の長寿命化などの観点から、発光ダイオードなどの固体発光素子を光源として利用することが提案されている（特許文献１参照。）。
然るに、固体発光素子を光源として利用する場合には、赤色、緑色および青色の光を発する３種類の固体発光素子のうち、波長５００〜５５０ｎｍの光を放射する固体発光素子については、輝度が高いものがないため、蛍光顕微鏡の視野において十分な明るさを得ることが困難である。
このような事情から、波長５００〜５５０ｎｍの光を発する固体発光素子の代わりに、例えばレーザダイオードなどの励起光源と、この励起光源からの励起光（例えば波長４４０〜４７０ｎｍの光）を受けて波長４５０〜６５０ｎｍの蛍光を発する蛍光体とを有する光源装置が用いられている。
また、蛍光顕微鏡においては、試料観察に用いられる蛍光色素に対して、当該蛍光色素の励起波長域の光のみを照射するために、例えば４６０〜５５０ｎｍの波長域の光を選択的に透過するバンドパスフィルタが設けられている。
【０００３】
しかしながら、このような光源装置を、蛍光顕微鏡に搭載される光源装置として用いると、以下のような問題があることが判明した。
蛍光顕微鏡での試料観察に用いられる蛍光色素としては、励起波長域が４５０〜６００ｎｍ、蛍光波長域が５００〜６５０ｎｍのものが広く用いられている。一方、波長４５０〜６５０ｎｍの蛍光を発する蛍光体としては、例えばＣｅ：ＬｕＡＧが知られており、このＣｅ：ＬｕＡＧの蛍光波長域は、４７０〜６２０ｎｍの波長域である。このように、蛍光体の蛍光スペクトルが蛍光色素の励起スペクトルよりも長波長側にずれていると、蛍光色素に照射される光のスペクトルと蛍光色素の励起スペクトルとの積で表されるスペクトル（以下、「感応スペクトル」という。）は、蛍光色素の励起スペクトルよりも長波長側にシフトする。その結果、感応スペクトルと蛍光色素の蛍光スペクトルとが重なる波長域が大きくなるため、試料を観察する際のバックグランドノイズが大きくなる、という問題がある。
【先行技術文献】
【特許文献】
【０００４】
【特許文献１】特表２０１５−５１０２５０号公報
【発明の概要】
【発明が解決しようとする課題】
【０００５】
そこで、本発明の目的は、波長５００〜５５０ｎｍにおいて高い輝度の光を放射することができ、しかも、試料の観察時におけるバックグランドノイズが小さい蛍光顕微鏡用光源装置およびこの蛍光顕微鏡用光源装置を備えた蛍光顕微鏡を提供することにある。
【課題を解決するための手段】
【０００６】
本発明の蛍光顕微鏡用光源装置は、照明光用バンドパスフィルタを備え、当該照明光用バンドパスフィルタを透過した波長５００〜５５０ｎｍの光によって試料が照明される蛍光顕微鏡に搭載される蛍光顕微鏡用光源装置であって、
励起光として青色光を放射するレーザダイオードと、
前記レーザダイオードから放射された励起光を、波長５００〜５５０ｎｍの波長域を含む照明用蛍光に変換する蛍光体と、
前記蛍光体から放射された照明用蛍光を取り出す光学系と、
前記励起光を前記蛍光体に集光する第１集光レンズと、
前記照明用蛍光が一端面に入射されて他端面から出射される導光体と、
前記照明用蛍光を前記導光体の一端面に集光する第２集光レンズとを備えてなり、
前記照明用蛍光の光路上に、当該照明用蛍光のうち、前記照明光用バンドパスフィルタにおける透過上限波長を含みかつ透過下限波長を含まない波長域の光を遮断または減衰する帯域除去フィルタが設けられていることを特徴とする。
【０００７】
本発明の蛍光顕微鏡用光源装置においては、前記蛍光体はＣｅ：ＬｕＡＧまたはＹＡＧよりなることが好ましい。
また、前記帯域除去フィルタは、前記蛍光体と前記導光体との間における前記照明用蛍光の光路上に配置されていることが好ましい。
【０００８】
本発明の蛍光顕微鏡は、照明光用バンドパスフィルタと、上記の蛍光顕微鏡用光源装置とを備えてなり、
前記蛍光顕微鏡用光源装置からの照明用蛍光のうち、前記照明光用バンドパスフィルタを透過した光によって試料が照明されることを特徴とする。
【発明の効果】
【０００９】
本発明の蛍光顕微鏡用光源装置によれば、レーザダイオードから放射された励起光を、波長５００〜５５０ｎｍの波長域を含む照明用蛍光に変換する蛍光体を有するため、波長５００〜５５０ｎｍにおいて高い輝度の光を放射することができる。しかも、照明用蛍光の光路上には、当該照明用蛍光のうち、照明光用バンドパスフィルタにおける透過上限波長を含みかつ透過下限波長を含まない波長域の光を遮断または減衰する帯域除去フィルタが設けられていることにより、感応スペクトルと蛍光色素の蛍光スペクトルとが重なる波長域が小さいため、試料の観察時におけるバックグランドノイズが小さい。
【図面の簡単な説明】
【００１０】
【図１】本発明の蛍光顕微鏡用光源装置の一例における構成を示す説明図である。
【図２】本発明の蛍光顕微鏡用光源装置を備えた蛍光顕微鏡の一例における構成を示す説明図である。
【図３】試料にラベリングされた蛍光色素の一例における励起波長域および蛍光波長域の分布を示す図である。
【図４】蛍光体から放射される蛍光の一例の分光スペクトルを示す図である。
【図５】帯域除去フィルタの一例における分光透過率曲線を示す図である。
【図６】蛍光体からの蛍光が帯域除去フィルタを透過した透過光の一例の分光スペクトルを示す図である。
【図７】照明光用バンドパスフィルタの一例における分光透過率曲線を示す図である。
【図８】本発明の蛍光顕微鏡用光源装置からの照明用蛍光が照明光用バンドパスフィルタを透過した透過光の一例の分光スペクトルを示す図である。
【図９】本発明の蛍光顕微鏡用光源装置の他の例における構成を示す説明図である。
【図１０】本発明の蛍光顕微鏡用光源装置の更に他の例における構成を示す説明図である。
【発明を実施するための形態】
【００１１】
以下、本発明の蛍光顕微鏡用光源装置（以下、単に「光源装置」という。）の実施の形態について説明する。
図１は、本発明の光源装置の一例における構成を示す説明図である。図１に示す光源装置１０は、照明光用バンドパスフィルタを備え、当該照明光用バンドパスフィルタを透過した波長５００〜５５０ｎｍの光によって試料が照明され、当該試料から放出される観察用蛍光を観察する蛍光顕微鏡に搭載されるものである。
【００１２】
この光源装置１０は、励起光として青色光を放射するレーザダイオード１１を有する。レーザダイオード１１の前方（図１において右方）には、波長変換部材１３が、当該レーザダイオード１１に対向するよう配置されている。この波長変換部材１３は、レーザダイオード１１から放射された励起光を照明用蛍光に変換する板状の蛍光体１５が、当該蛍光体１５に生じた熱を放熱する放熱性基板１４上に配置されて構成されている。
【００１３】
レーザダイオード１１と波長変換部材１３との間には、蛍光体１５から放射された照明用蛍光を取り出す光学系として、当該照明用蛍光を反射するリフレクタ１６が設けられている。具体的に説明すると、リフレクタ１６は、底部に貫通孔１６Ｈが形成された凹面鏡により構成され、その焦点が蛍光体１５上に位置し、かつ、その貫通孔１６Ｈがレーザダイオード１１からの励起光の光路上に位置するよう配置されている。
また、リフレクタ１６の貫通孔１６Ｈには、レーザダイオード１１からの励起光を蛍光体１５に集光する第１集光レンズ１２が設けられている。
【００１４】
リフレクタ１６の前方（波長変換部材１３の背後）には、リフレクタ１６からの照明用蛍光が入射端面１９ａに入射されて出射端面１９ｂから出射されるファイバー状の導光体１９が設けられている。リフレクタ１６と導光体１９との間には、リフレクタ１６からの照明用蛍光を導光体１９の入射端面１９ａに集光する第２集光レンズ１８が配置されている。また、リフレクタ１６と第２集光レンズ１８との間には、レンズ１７が配置されている。
【００１５】
そして、本発明の光源装置１０においては、照明用蛍光の光路上に、照明光用バンドパスフィルタにおける透過上限波長を含みかつ透過下限波長を含まない波長域の光を遮断または減衰する帯域除去フィルタ２０が設けられている。図示の例では、帯域除去フィルタ２０は、レンズ１７と第２集光レンズ１８との間に配置されている。
【００１６】
レーザダイオード１１は、例えば波長４４０〜４７０ｎｍの青色光を放射するものである。このようなレーザダイオード１１としては、ＧａＮ、ＩｎＧａＮなどの窒素化合物半導体よりなる活性層を有するものを用いることができる。
【００１７】
波長変換部材１３における蛍光体１５は、レーザダイオード１１からの励起光によって波長５００〜５５０ｎｍの波長域を含む蛍光を発するものである。この蛍光体１５は、蛍光体結晶よりなるものであっても、蛍光体結晶粉末がバインダーによって結着されてなるものであってもよい。
蛍光体結晶としては、Ｃｅ：ＬｕＡＧ（Ｌｕ3 Ａｌ5 Ｏ12）等の希土類元素がドープされたＬｕＡＧ、Ｃｅ：ＹＡＧ（Ｙ3 Ａｌ5 Ｏ12）等の希土類元素がドープされたＹＡＧなどを用いることが好ましい。これらの蛍光体結晶において、希土類元素のドープ量は、例えば０．５ｍｏｌ％程度である。
蛍光体１５として、蛍光体結晶粉末がバインダーによって結着されてなるものを用いる場合には、蛍光体結晶粉末の平均粒径は、例えば１〜６０μｍである。また、蛍光体１５における蛍光体結晶粉末の割合は、例えば３０〜７０体積％である。また、バインダーとしては、ガラスなどの無機バインダー、シリコーン樹脂などの有機バインダーを用いることができる。
【００１８】
帯域除去フィルタ２０は、蛍光体１５からの照明用蛍光のうち、照明光用バンドパスフィルタにおける透過上限波長を含みかつ透過下限波長を含まない波長域の光を遮断または減衰するものである。帯域除去フィルタ２０における遮断または減衰させる光の波長域（以下、「除去波長域」という。）は、蛍光体１５を構成する蛍光体結晶の種類や蛍光顕微鏡に搭載された照明光用バンドパスフィルタの透過波長域などに応じて設定される。
このような帯域除去フィルタ２０においては、照明光用バンドパスフィルタにおける透過上限波長をλＴmax とし、帯域除去フィルタ２０における除去波長域の下限波長をλＳmin としたとき、λＴmax −λＳmin の値が３ｎｍ以上であることが好ましく、より好ましくは５ｎｍ以上である。
また、照明光用バンドパスフィルタにおける透過下限波長をλＴmin としたとき、λＳmin −λＴmin の値が２０ｎｍ以上であることが好ましく、より好ましくは２８ｎｍ以上である。
ここで、照明光用バンドパスフィルタにおける透過上限波長および透過下限波長は、いずれも最大透過率の９５％となる波長である。
また、帯域除去フィルタ２０における除去波長域の上限波長および下限波長は、いずれも最大遮蔽率の９５％となる波長である。
【００１９】
帯域除去フィルタ２０において、除去波長域における光の透過率は１％以下であることが好ましい。この光の透過率が１％を超える場合には、試料の観察時におけるバックグランドノイズが顕著に増加する。
また、帯域除去フィルタ２０において、除去波長域以外の波長域であって、試料の蛍光色素の励起波長域にある光の透過率は９５％以上であることが好ましい。この光の透過率が９５％を超える場合には、波長５００〜５５０ｎｍにおいて高い輝度の光を放射することが困難となることがある。
【００２０】
このような帯域除去フィルタ２０としては、透明基板の一面または両面に、高屈折率層と、この高屈折率層より屈折率が低い低屈折率層とが交互に積層された誘電体多層膜が形成されてなるものを用いることができる。
【００２１】
透明基板を構成する材料としては、無アルカリガラス、ホウケイ酸ガラス、石英ガラス、水晶、ＢＫ７（商品名）、Ｔｅｍｐａｘ（商品名）等の光学ガラス、サファイア等の結晶材料、透明酸化物半導体、合成樹脂などを用いることができる。
【００２２】
誘電体多層膜における高屈折率層および低屈折率層を構成する材料としては、ＴｉＯ、ＴｉＯ2 、Ｙ2 Ｏ3 、Ｔａ2 Ｏ5 、ＺｒＯ、ＺｒＯ2 、Ｓｉ、ＳｉＯ2 、ＨｆＯ2 、Ｇｅ、Ｎｂ2 Ｏ5 、Ｎｂ2 Ｏ6 、ＣｅＯ2 、ＣｅＦ3 、ＺｎＳ、ＺｎＯ、Ｆｅ2 Ｏ3 、ＭｇＦ2 、ＡｌＦ3 、ＣａＦ2 、ＬｉＦ、Ｎａ3 ＡｌＦ6 、Ｎａ5 Ａｌ3 Ｆ14、Ａｌ2 Ｏ3 、ＭｇＯ、ＬａＦ、ＰｂＦ2 、およびＮｄＦ3 などの材料の中から、少なくとも２種類を選択して用いることができる。
【００２３】
誘電体多層膜を形成する方法としては、真空蒸着、スパッタリング、イオンプレーティングなどのＰＶＤ法（物理気相成長法）を用いることができ、具体的には、抵抗加熱蒸着、電子ビーム（ＥＢ）加熱蒸着、高周波加熱蒸着、レーザービーム加熱蒸着、イオン化スパッタ、イオンビームスパッタ、プラズマスパッタ、イオンアシストスパッタ、ラジカルアシストスパッタなどを用いることができる。
【００２４】
図２は、本発明の光源装置を備えた蛍光顕微鏡の一例における構成を示す説明図である。
この蛍光顕微鏡においては、試料Ｓが水平に載置されるステージ３０を有する。このステージ３０は、上下方向に変位可能に設けられている。ステージ３０の上方には、互いに倍率が異なる複数の対物レンズ３１が試料Ｓに近接可能に配置されている。これらの対物レンズ３１の各々は、レボルバー３２に保持されており、このレボルバー３２の操作によって、試料Ｓからの観察用蛍光の光路ａ上に選択的に位置される。対物レンズ３１の上方には、試料Ｓからの観察用蛍光を透過し、光源装置１０からの照明用蛍光を反射するダイクロイックミラー３３が、その光学機能面が観察用蛍光の光路ａに対して４５°に傾斜した状態で配置されている。
【００２５】
ダイクロイックミラー３３の側方には、照明光用バンドパスフィルタ３５およびコリメートレンズ３６を介して、図１に示す光源装置が配置されている。照明光用バンドパスフィルタ３５は、試料Ｓにラベリングされた蛍光色素の励起波長域の光を透過し、それ以外の波長域の光を遮断または減衰するものである。コリメートレンズ３６は、光源装置１０からの照明用蛍光を平行光化するものである。
【００２６】
ダイクロイックミラー３３の上方には、観察光用バンドパスフィルタ４０および光路切替器４１を介して、接眼レンズ４２およびＣＣＤカメラ４３が設けられている。ＣＣＤカメラ４３は、当該ＣＣＤカメラ４３を制御するカメラ制御部４４に接続されている。
観察光用バンドパスフィルタ４０は、試料Ｓからの観察用蛍光を透過し、それ以外の波長域の光を遮断または減衰するものである。光路切替器４１は、その光入射部から接眼レンズ４２に向かう第１光路と、光入射部からＣＣＤカメラ１１に向かう第２光路とを有し、光路切替モータ４５により、試料Ｓからの観察用蛍光の光路を、第１光路と第２光路との間で切り替え可能とされている。
【００２７】
また、光源装置１０、光路切替モータ４５およびカメラ制御部４４は、中央制御部５０に接続されている。この中央制御部５０には、操作部５５が接続されている。この操作部５５は、観察者が蛍光顕微鏡を操作するための各種の操作スイッチが配置されている。これらの操作スイッチを操作することによって、光源装置１０の点灯および消灯、光路切替器４１における光路の切り替え、ＣＣＤカメラ４３による撮影が実行される。
【００２８】
上記の蛍光顕微鏡においては、先ず、蛍光色素がラベリングされた試料Ｓがステージ３０上に載置される。試料Ｓにラベリングされた蛍光色素の一例における励起波長域および蛍光波長域の分布を図３に示す。図３において、ａは蛍光色素の励起波長域の分布曲線を示し、ｂは蛍光色素の蛍光波長域の分布曲線を示す。この例の蛍光色素は、ＹＦＰ（黄色蛍光タンパク質）であり、その励起波長域は４５０〜５３０ｎｍで、蛍光波長域は５００〜６００ｎｍである。
【００２９】
そして、操作部５５を操作することによって、光源装置１０におけるレーザダイオード１１が作動すると、当該レーザダイオード１１からの励起光は、第１集光レンズ１２によって集光されて蛍光体１５に照射される。これにより、蛍光体１５から波長５００〜５５０ｎｍの波長域を含む照明用蛍光が放射される。蛍光体１５から放射される照明用蛍光の一例の分光スペクトルを図４に示す。この例の蛍光体１５は、Ｃｅ：ＬｕＡＧよりなるものである。
【００３０】
蛍光体１５からの照明用蛍光は、リフレクタ１６によって反射された後、レンズ１７を介して帯域除去フィルタ２０に入射される。これにより、蛍光体１５からの照明用蛍光のうち特定の波長域の光が遮断または減衰される。帯域除去フィルタ２０の一例における分光透過率曲線を図５に示す。また、蛍光体１５からの照明用蛍光が帯域除去フィルタ２０を透過した透過光の一例の分光スペクトルを図６に示す。この例の帯域除去フィルタ２０は、５１９〜５２７ｎｍの波長域の光を遮断または減衰するものであり、除去波長域における光の透過率は１％以下である。そして、図６に示すように、帯域除去フィルタ２０を透過した照明用蛍光においては、蛍光体１５からの照明用蛍光の波長域と試料Ｓからの観察用蛍光の波長域とが重なる波長域の光が除去されている。
この帯域除去フィルタ２０を透過した照明用蛍光は、第２集光レンズ１８によって集光されて導光体１９の入射端面１９ａに入射され、当該導光体１９の出射端面１９ｂから出射される。
【００３１】
光源装置１０の導光体１９の出射端面から出射された照明用蛍光は、コリメートレンズ３６によって平行光化された後、照明光用バンドパスフィルタ３５に入射される。これにより、光源装置１０からの照明用蛍光のうち、特定の波長域の光が照明光用バンドパスフィルタ３５を透過し、それ以外の波長域の光が遮断または減衰される。照明光用バンドパスフィルタ３５の一例における分光透過率曲線を図７に示す。また、光源装置１０からの照明用蛍光が照明光用バンドパスフィルタ３５を透過した透過光の一例の分光スペクトルを図８に示す。この例の照明光用バンドパスフィルタ３５は、中心波長５１０ｎｍ、パスバンド幅（ＯＤ４未満の波長幅）２４ｎｍ（半値全幅２９ｎｍ）の波長域の光を透過し、それ以外の波長域の光を遮断または減衰するものである。
【００３２】
照明光用バンドパスフィルタ３５を透過した照明用蛍光は、ダイクロイックミラー３３によって下方に向かって反射され、対物レンズ３１を介して、ステージ３０上に載置された試料Ｓに照射される。これにより、試料Ｓにラベリングされた蛍光色素が励起され、当該蛍光色素から観察用蛍光が放射される。試料Ｓからの観察用蛍光は、対物レンズ３１、ダイクロイックミラー３３および観察光用バンドパスフィルタ４０を介して、光路切替器４１に入射される。そして、光路切替器４１を操作することによって、試料Ｓからの観察用蛍光による像が、接眼レンズ４２を介して観察者によって観察され、或いはＣＣＤカメラ４３に撮影される。
【００３３】
本発明の光源装置１０によれば、レーザダイオード１１から放射された励起光を、波長５００〜５５０ｎｍの波長域を含む照明用蛍光に変換する蛍光体を有するため、波長５００〜５５０ｎｍにおいて高い輝度の光を放射することができる。しかも、照明用蛍光の光路上には、当該照明用蛍光のうち、照明光用バンドパスフィルタ３５における透過上限波長を含みかつ透過下限波長を含まない波長域の光を遮断または減衰する帯域除去フィルタ２０が設けられていることにより、感応スペクトルと蛍光色素の蛍光スペクトルとが重なる波長域が小さいため、試料Ｓの観察時におけるバックグランドノイズが小さい。
【００３４】
本発明においては、上記の実施の形態に限定されず、以下のような種々の変更を加えることが可能である。
（１）光源装置１０においては、図９に示すように、例えば青色光または赤色光を放射する発光ダイオード２５が設けられていてもよい。具体的に説明すると、図９に示す光源装置１０においては、レンズ１７と帯域除去フィルタ２０との間に、蛍光体１５からの照明用蛍光を透過し、発光ダイオード２５からの光を反射するダイクロイックミラー２６が設けられている。このダイクロイックミラー２６の上方に、レンズ２７を介して発光ダイオード２５が設けられている。
また、図９に示す例では、１つの発光ダイオード２５が設けられているが、２つの発光ダイオード、具体的には青色光を放射する発光ダイオードおよび赤色光を放射する発光ダイオードが設けられていてもよい。
このような光源装置１０によれば、青色光または赤色光によって励起されて蛍光を放射する蛍光色素がラベリングされた試料や、互いに異なる波長の光によって励起されて蛍光を放射する複数の蛍光色素がラベリングされた試料についても観察することができる。
【００３５】
（２）光源装置においては、図１０に示すように、蛍光体１５から放射された照明用蛍光を取り出す光学系として、リフレクタ１６の代わりに、レーザダイオード１１からの励起光を反射し、蛍光体１５からの照明用蛍光を透過するダイクロイックミラー２１を用いることができる。具体的に説明すると、図１０に示す光源装置においては、波長変換部材１３は、蛍光体１５が帯域除去フィルタ２０に対向するよう配置され、波長変換部材１３と帯域除去フィルタ２０との間に、ダイクロイックミラー２１が配置されている。このダイクロイックミラー２１の下方に、レーザダイオード１１が設けられている。また、ダイクロイックミラー２１と波長変換部材１３との間には、レーザダイオード１１からの励起光を蛍光体１５に集光する第１集光レンズ１２が設けられている。
（３）蛍光顕微鏡において、光源装置１０以外の構成は図２に示すものに限定されず、種々の蛍光顕微鏡の構成を採用することができる。
【符号の説明】
【００３６】
１０  光源装置
１１  レーザダイオード
１２  第１集光レンズ
１３  波長変換部材
１４  放熱性基板
１５  蛍光体
１６  リフレクタ
１６Ｈ  貫通孔
１７  レンズ
１８  第２集光レンズ
１９  導光体
１９ａ  入射端面
１９ｂ  出射端面
２０  帯域除去フィルタ
２１  ダイクロイックミラー
２５  発光ダイオード
２６  ダイクロイックミラー
２７  レンズ
３０  ステージ
３１  対物レンズ
３２  レボルバー
３３  ダイクロイックミラー
３５  照明光用バンドパスフィルタ
３６  コリメートレンズ
４０  観察光用バンドパスフィルタ
４１  光路切替器
４２  接眼レンズ
４３  ＣＣＤカメラ
４４  カメラ制御部
４５  光路切替モータ
５０  中央制御部
５５  操作部
ａ  観察用蛍光の光路
Ｓ  試料
【図１】
2018040914.tif 000003
【図２】
2018040914.tif 000004
【図３】
2018040914.tif 000005
【図４】
2018040914.tif 000006
【図５】
2018040914.tif 000007
【図６】
2018040914.tif 000008
【図７】
2018040914.tif 000009
【図８】
2018040914.tif 000010
【図９】
2018040914.tif 000011
【図１０】
2018040914.tif 000012